(57)【要約】【課題】結露の発生を防止するとともに、建物に取り付けた後に強度を確保できる鋼製のドア枠を提供すること。【解決手段】建物の外部と内部を仕切る玄関ドア１のドア枠１０において、ドア枠１０は、建物の外部側に取り付けられる外枠１１と、建物の内部側に取り付けられる内枠１２とを備え、外枠１１と内枠１２とは互いに分離し、それぞれ建物に固定した。これにより、外枠１１と内枠１２を連結するためのビス等を用いないので、このビス等を介して熱が内枠１２から外枠１１に奪われ、内枠１２に表面温度が低下するのを防止できる。また、外枠１１と内枠１２とはそれぞれ建物躯体３に固定したので、ドア枠１０の重量を分散して固定できる。【選択図】図３
2008202295.tif 000002
【特許請求の範囲】
【請求項１】
建物の外部と内部を仕切る鋼製建具のドア枠において、
当該ドア枠は、前記建物の外部側に取り付けられる外枠と、
前記建物の内部側に取り付けられる内枠とを備え、
前記外枠と前記内枠とは互いに分離し、それぞれ前記建物に固定されていることを特徴とする鋼製建具のドア枠。
【請求項２】
前記外枠及び前記内枠は、断面形状が略矩形であり、
前記外枠と前記内枠とは、断面積が略同一であることを特徴とする請求項１に記載の鋼製建具のドア枠。
【請求項３】
前記外枠及び前記内枠は、中空体状に形成され、
前記外枠及び前記内枠の内部には、断熱材が充填されていることを特徴とする請求項１又は２に記載の鋼製建具のドア枠。
【請求項４】
前記外枠と前記内枠とは、絶縁材を介して接する部分を有していることを特徴とする請求項１から３のいずれかに記載の鋼製建具のドア枠。
【請求項５】
前記接する部分には、前記外枠及び前記内枠が前記建物に取り付けられる前の前記外枠及び前記内枠を互いに連結する固定部材が設けられ、
当該固定部材は、当該外枠及び当該内枠が前記建物に取り付けられた後に当該外枠及び当該内枠から除去されることを特徴とする請求項４に記載の鋼製建具のドア枠。
【請求項６】
前記接する部分は、前記鋼製建具のドアの周縁と接する戸当たり部分に形成され、
当該戸当たり部分には、弾性体が設けられることを特徴とする請求項５に記載の鋼製建具のドア枠。
【発明の詳細な説明】
【技術分野】
【０００１】
本発明は、鋼製のドア枠に関する。詳しくは、例えば、鉄筋コンクリート造の建物の玄関ドアに関する。
【背景技術】
【０００２】
従来より、建物の外部の建具には、金属製の建具が用いられている。この金属製の建具は、木製の建具に対して経年によるドアやドア枠の歪みが少ないので、長期間にわたって建物内部の気密性を維持できる。
【０００３】
ところが、金属製の建具は、建物内部の気密性を維持するので、例えば、冬場等建物の外部の外気温が低く、建物の内部の室温が高い場合、室温が高い状態で維持される一方で、金属製の建具の表面が低い外気温により冷やされる。すると、金属製の建具の表面では、露点温度以下となり、この金属製の建具の表面に結露が発生する。
【０００４】
この問題を解決するため、金属製の建具に断熱性能を持たせることで、金属製の建具の表面に結露が発生するのを防止する金属製の建具が提案されている。
【０００５】
このような金属製の建具としては、例えば、アルミニウム製の建具において、屋外側の枠材と屋内側の枠材とを、断熱材を介して、連結ネジにより連結したアルミニウム製の建具がある（特許文献１参照）。
【特許文献１】特開平７−２２９３７０号公報
【発明の開示】
【発明が解決しようとする課題】
【０００６】
しかしながら、特許文献１で提案されたアルミニウム製の建具では、屋外側の枠材と屋内側の枠材とを連結ネジにより連結しているので、屋外の外気温が低く、屋内の室温が高い場合、屋内側の枠材の熱が、連結ネジを介して、屋外側の枠材に奪われ、連結ネジの周辺の屋内側の枠材表面に結露が発生するおそれがある。
【０００７】
また、所定の規模以上の集合住宅等の玄関ドアでは、この玄関ドアのドア枠に防火性能が要求されるためアルミニウム製の建具を用いることができないので、このドア枠を鋼製とする必要がある。しかしながら、ドア枠を鋼製とすると、重量が増えるので、このドア枠を建物に取り付けた後の強度を確保する必要がある。
【０００８】
本発明は、結露の発生を防止するとともに、建物に取り付けた後に強度を確保できる鋼製のドア枠を提供することを目的とする。
【課題を解決するための手段】
【０００９】
（１）  建物の外部と内部を仕切る鋼製建具のドア枠において、当該ドア枠は、前記建物の外部側に取り付けられる外枠と、前記建物の内部側に取り付けられる内枠とを備え、前記外枠と前記内枠とは互いに分離し、それぞれ前記建物に固定されていることを特徴とする鋼製建具のドア枠。
【００１０】
（１）の発明によれば、建物の外部と内部を仕切る鋼製建具のドア枠を、建物の外部側に取り付けられる外枠と建物の内部側に取り付けられる内枠とで、互いに分離し、それぞれ建物に固定した。これにより、外枠と内枠を連結するためのビス等を用いないので、このビス等を介して熱が内枠から外枠に奪われ、内枠に表面温度が低下するのを防止できる。また、外枠と内枠とはそれぞれ建物に固定したので、ドア枠の重量を分散して固定できる。したがって、結露の発生を防止するとともに、建物に取り付けた後に強度を確保できる鋼製のドア枠を提供できる。
【００１１】
（２）  前記外枠及び前記内枠は、断面形状が略矩形であり、前記外枠と前記内枠とは、断面積が略同一であることを特徴とする（１）に記載の鋼製建具のドア枠。
【００１２】
（２）の発明によれば、外枠及び内枠の断面形状を略矩形とし、その断面積を略同一としているので、ドア枠を鋼製で形成しても、曲げ加工が容易となる。したがって、製作コストを抑えつつ、結露の発生を防止するとともに、建物に取り付けた後に強度を確保できる鋼製のドア枠を提供できる。
【００１３】
（３）  前記外枠及び前記内枠は、中空体状に形成され、前記外枠及び前記内枠の内部には、断熱材が充填されていることを特徴とする（１）又は（２）に記載の鋼製建具のドア枠。
【００１４】
（３）の発明によれば、外枠及び内枠を中空体状に形成し、その内部に断熱材を充填したので、外枠及び内枠の断熱性能を向上し、内枠の表面温度の低下を防止できる。したがって、確実に結露の発生を防止するとともに、建物に取り付けた後に強度を確保できる鋼製のドア枠を提供できる。
【００１５】
（４）  前記外枠と前記内枠とは、絶縁材を介して接する部分を有していることを特徴とする（１）から（３）のいずれかに記載の鋼製建具のドア枠。
【００１６】
（４）の発明によれば、外枠と内枠とは、絶縁材を介して接する部分を有したので、外枠と内枠とはそれぞれ建物に固定しつつ、さらに外枠と内枠とを絶縁材を介して接しさせることで、ドア枠全体の強度を向上できるとともに、絶縁材を介して接しさせることで、内枠の熱が外枠に奪われることを防止できる。したがって、確実に結露の発生を防止するとともに、建物に取り付けた後にさらに高い強度を確保できる鋼製のドア枠を提供できる。
【００１７】
（５）  前記接する部分には、前記外枠及び前記内枠が前記建物に取り付けられる前の前記外枠及び前記内枠を互いに連結する固定部材が設けられ、当該固定部材は、当該外枠及び当該内枠が前記建物に取り付けられた後に当該外枠及び当該内枠から除去されることを特徴とする（４）に記載の鋼製建具のドア枠。
【００１８】
（５）の発明によれば、外枠及び内枠は、建物に取り付けられる前には固定部材により連結されているので、ドア枠の運搬及び取り付けが容易になるとともに、外枠及び内枠が建物に取り付けられた後にはこの固定部材を除去するので、この固定部材により熱が内枠から外枠に奪われ断熱効果が低減するのを防止できる。したがって、ドア枠の施工性を向上しつつ、建物に取り付けた後に、結露の発生を防止するとともに、強度を確保できる鋼製のドア枠を提供できる。
【００１９】
（６）  前記接する部分は、前記鋼製建具のドアの周縁と接する戸当たり部分に形成され、当該戸当たり部分には、弾性体が設けられることを特徴とする（５）に記載の鋼製建具のドア枠。
【００２０】
（６）の発明によれば、戸当たり部分には、弾性体を設けたので、ドアを閉めることによりドア枠が受ける衝撃を吸収することができる。そして、この戸当たり部分に、接する部分を形成したので、例えば、固定部材としてビスを用いた場合でも、このビスを除去した後のビス穴を、弾性体により覆うことができる。したがって、ドア枠の意匠性を向上しつつ、建物に取り付けた後に、結露の発生を防止するとともに、強度を確保できる鋼製のドア枠を提供できる。
【発明の効果】
【００２１】
本発明によれば、結露の発生を防止するとともに、建物に取り付けた後に強度を確保できる鋼製のドア枠を提供できる。
【発明を実施するための最良の形態】
【００２２】
以下、本発明の実施形態を図面に基づいて説明する。なお、以下の実施形態の説明にあたって、同一構成要件については同一符号を付し、その説明を省略もしくは簡略化する。
【００２３】
図１は、本発明の実施形態に係る玄関ドアの建物の外部側の正面図である。図１に示すように、玄関ドア１は、略矩形のドア枠１０に、このドア枠１０の内法寸法と略同一の寸法で形成されたドア５が吊り込まれている。ドア枠１０は、スチールにより形成されている。また、ドア枠１０は、建物の外部側に外枠１１が設けられている。
【００２４】
図２は、本発明の実施形態に係る玄関ドアの建物の内部側の正面図である。図２に示すように、ドア枠１０は、建物の内部側に内枠１２が設けられている。
【００２５】
図３は、本発明の実施形態に係る玄関ドアの鉛直方向の断面図である。図４は、本発明の実施形態に係る玄関ドアの水平方向の断面図である。図３及び図４に示すように、ドア枠１０は、外枠１１、内枠１２、絶縁材１５、及びガスケット１８を備える。
【００２６】
外枠１１は、スチール製の板状体が曲げ加工され、断面形状が略矩形の中空体状の部分が形成され、この中空体状の部分には、断熱材３０が充填されている。中空体状の部分を形成する板状体の一部は、内法側に屈曲したアングル部を有している。また、外枠１１は、外枠固定筋１１２により建物躯体３に固定され、この外枠固定筋１１２の周囲をモルタル４により覆われている。
【００２７】
内枠１２は、スチール製の板状体が曲げ加工され、断面形状が略矩形の中空体状の部分が形成され、この中空体状の部分には、断熱材３０が充填されている。また、内枠１２は、その一部が、外枠１１より内法側に突出し、この突出した部分が外枠１１のアングル部と重なるように配置されている。また、内枠１２は、内枠固定筋１２２により建物躯体３に固定され、この内枠固定筋１２２の周囲をモルタル４により覆われている。
【００２８】
絶縁材１５は、外枠１１のアングル部と内枠１２の突出した部分との間に配置されている。換言すると、外枠１１と内枠１２とは、絶縁材１５を介して接する部分を有している。
【００２９】
また、外枠１１、内枠１２、及び絶縁材１５には、同心円上にビス穴２２が所定の間隔で形成されている。このビス穴２２には、ドア枠１０の搬入時及び施工時に、外枠１１と内枠１２とを互いに連結する固定部材としてのビス２０が螺合している。このビス２０は、ドア枠１０が建物躯体３に取り付けられた後にこれらの外枠１１、内枠１２、及び絶縁材１５から除去される。
【００３０】
ガスケット１８は、外枠１１のアングル部のドア５に面する方向に設けられ、ドア５が閉じた状態でこのドア５の周縁と接している。このように、外枠１１のアングル部、内枠１２の突出した部分、絶縁材１５、及びガスケット１８により、ドア５の周縁と接する戸当たり部分１６を構成する。
【００３１】
次に、ドア枠１０の取り付け方法について説明する。ドア枠１０は、外枠１１、内枠１２、及び絶縁材１５のビス穴２２に、ビス２０が螺合した状態で、このドア枠１０の取り付け場所に搬入される。次に、ビス２０が螺合した状態で、建物躯体３に予め設けられたアンカーに、外枠１１を外枠固定筋１１２により溶接し、内枠１２を内枠固定筋１２２により溶接することで、外枠１１及び内枠１２をそれぞれ建物躯体３に固定する。その後、建物躯体３とドア枠１０との隙間をモルタル４により埋めることで、建物躯体３にドア枠１０を取り付ける。次に、ドア枠１０からビス２０を除去した後に、ガスケット１８を取り付ける。
【００３２】
本実施形態によれば、建物の外部と内部を仕切る玄関ドア１のドア枠１０を、建物の外部側に取り付けられる外枠１１と建物の内部側に取り付けられる内枠１２とで、互いに分離し、それぞれ建物躯体３に固定した。これにより、外枠１１と内枠１２を連結するためのビス等を用いないので、このビス等を介して熱が内枠１２から外枠１１に奪われ、内枠１２に表面温度が低下するのを防止できる。また、外枠１１と内枠１２とはそれぞれ建物躯体３に固定したので、ドア枠１０の重量を分散して固定できる。したがって、結露の発生を防止するとともに、建物に取り付けた後に強度を確保できる鋼製のドア枠を提供できる。
【００３３】
また、外枠１１及び内枠１２の断面形状を略矩形とし、その断面積を略同一としているので、ドア枠１０をスチールで形成しても、曲げ加工が容易となる。したがって、製作コストを抑えつつ、結露の発生を防止するとともに、建物に取り付けた後に強度を確保できる鋼製のドア枠を提供できる。
【００３４】
また、外枠１１及び内枠１２を中空体状に形成し、その内部に断熱材３０を充填したので、外枠１１及び内枠１２の断熱性能を向上し、内枠１２の表面温度の低下を防止できる。したがって、確実に結露の発生を防止するとともに、建物に取り付けた後に強度を確保できる鋼製のドア枠を提供できる。
【００３５】
また、外枠１１と内枠１２とは、絶縁材１５を介して接する部分を有したので、外枠１１と内枠１２とはそれぞれ建物躯体３に固定しつつ、さらに外枠１１と内枠１２とを絶縁材１５を介して接しさせることで、ドア枠１０全体の強度を向上できるとともに、絶縁材１５を介して接しさせることで、内枠１２の熱が外枠１１に奪われることを防止できる。したがって、確実に結露の発生を防止するとともに、建物に取り付けた後にさらに高い強度を確保できる鋼製のドア枠を提供できる。
【００３６】
また、外枠１１及び内枠１２は、建物躯体３に取り付けられる前にはビス２０により連結されているので、ドア枠１０の運搬及び取り付けが容易になるとともに、外枠１１及び内枠１２が建物躯体３に取り付けられた後にはこのビス２０を除去するので、このビス２０により熱が内枠１２から外枠１１に奪われ断熱効果が低減するのを防止できる。したがって、ドア枠の施工性を向上しつつ、建物に取り付けた後に、結露の発生を防止するとともに、強度を確保できる鋼製のドア枠を提供できる。
【００３７】
また、戸当たり部分１６には、ガスケット１８を設けたので、ドア５を閉めることによりドア枠１０が受ける衝撃を吸収することができる。そして、この戸当たり部分１６に、外枠１１と内枠１２とが接する部分を形成したので、例えば、ビス２０を用いた場合でも、このビス２０を除去した後のビス穴２２を、ガスケット１８により覆うことができる。したがって、ドア枠１０の意匠性を向上しつつ、建物に取り付けた後に、結露の発生を防止するとともに、強度を確保できる鋼製のドア枠を提供できる。
【００３８】
本発明は上記実施形態に限定されるものではなく、本発明の目的を達成できる範囲での変形、改良等は本発明に含まれるものである。
【図面の簡単な説明】
【００３９】
【図１】本発明の実施形態に係る玄関ドアの建物の外部側の正面図である。
【図２】本発明の実施形態に係る玄関ドアの建物の内部側の正面図である。
【図３】本発明の実施形態に係る玄関ドアの鉛直方向の断面図である。
【図４】本発明の実施形態に係る玄関ドアの水平方向の断面図である。
【符号の説明】
【００４０】
１      玄関ドア
３      建物躯体
４      モルタル
５      ドア
１０    ドア枠
１１    外枠
１２    内枠
１５    絶縁材
１６    戸当たり部分
１８    ガスケット
２０    ビス
２２    ビス穴
３０    断熱材
１１２  外枠固定筋
１２２  内枠固定筋
【図１】
2008202295.tif 000003
【図２】
2008202295.tif 000004
【図３】
2008202295.tif 000005
【図４】
2008202295.tif 000006